(57)【特許請求の範囲】
【請求項１】
建物の開口部に配される羽根部材を、昇降機構により昇降させて、当該羽根部材の昇降により開口部を開閉するようにしてなるブラインド装置であって、羽根部材は、羽根本体と、この羽根本体の内側にその長手方向に沿ってかつ互いに平行に形成された一対の嵌合溝とを具備しており、羽根本体の両端部の夫々で、昇降機構において開口部両側に配される支持部材に支持されており、各支持部材は、一対の嵌合溝間において羽根本体のその長手方向の端部の内側に取付部材を介して取り付けられた板状部と、この板状部に形成された第一の係合部とを具備しており、取付部材は、板状本体と、この板状本体に形成されて、支持部材の第一の係合部に係合した第一の被係合部と、板状本体に一体的に形成されており、各嵌合溝に、羽根本体の長手方向に沿って摺動自在に嵌合した互いに対向した一対の嵌合縁部と、板状本体に形成された第二の係合部とを具備しており、この第二の係合部は、各嵌合溝に、羽根本体の長手方向に沿って摺動自在に嵌合した互いに対向した他の一対の嵌合縁部を具備した取付解除部材の第二の被係合部に係合しており、取付解除部材は、支持部材の第一の係合部と取付部材の第一の被係合部との係合を解除して、羽根本体の長手方向に沿って取付部材を摺動可能にし、取付部材による羽根本体の端部の内側への板状部の取付状態の解除を行い得る指掛け部を具備しているブラインド装置。
【請求項２】
羽根部材は、羽根本体の一方の端部の内側に第三の係合部を具備しており、開口部両側に配される支持部材において、一方側の支持部材の板状部には、当該板状部に対する羽根本体のその長手方向に沿う相対的移動を阻止するように、第三の係合部に係合する第三の被係合部が形成されている請求項１に記載のブラインド装置。
【請求項３】
第三の係合部は、凹所又は突起からなり、この凹所又は突起に係合する第三の被係合部は、対応して突起又は凹所からなる請求項２に記載のブラインド装置。
【請求項４】
第一の係合部は、凹所又は突起からなり、この凹所又は突起に係合する第一の被係合部は、対応して突起又は凹所からなる請求項１から３のいずれか一項に記載のブラインド装置。
【請求項５】
第二の係合部は、凹所又は突起からなり、この凹所又は突起に係合する第二の係合部は、対応して突起又は凹所からなる請求項１から４のいずれか一項に記載のブラインド装置。
【請求項６】
指掛け部は、一対の開口からなる請求項１から５のいずれか一項に記載のブラインド装置。
【請求項７】
取付部材は、合成樹脂からなり、第一の係合部と第一の被係合部との係合状態から非係合状態への移行が板状本体を若干撓ませることによって行われるように構成されている請求項１から６のいずれか一項に記載のブラインド装置。
【請求項８】
第一の係合部は、板状部に形成された開口からなり、取付部材の第一の被係合部は、板状本体に一体的に形成された突起からなり、この突起は、第一の係合部と第一の被係合部との非係合状態から係合状態への移行を案内する案内傾斜面を具備している請求項１から７のいずれか一項に記載のブラインド装置。
【発明の詳細な説明】
【０００１】
【発明の属する技術分野】
本発明は、建物の窓等の開口部に配されて、当該開口部を開閉するために用いられるブラインド装置に関する。
【０００２】
【発明が解決しようとする課題】
この種のブラインド装置は、例えば特開平８−２６０８４３号公報等に記載のものが知られており、多数の羽根部材を、昇降機構の支持部材によりその両端で支持し、昇降機構の作動により羽根部材を昇降させて、当該羽根部材の昇降により開口部を開閉し、併せて、全閉状態において個々の羽根部材を傾動させて、完全目隠し状態又は簾状態にしている。
【０００３】
このようなブラインド装置は、外部に直接晒されるため、羽根部材の表面に凹みや、傷が付いたり、更には、汚れたり、日焼けして、見た目が極めて悪くなることがある。そこで、清掃、交換又は修理を行う必要が生じるが、このような清掃、交換又は修理を、羽根部材のみを取り外して行うことができると、その作業性が向上し、極めて望ましい。
【０００４】
また、羽根部材のみを内側から簡単に取り外すことができるようにされていると、火災等において、仮に、ブラインド装置が全閉状態でも、羽根部材を内部側、例えば、室内側から取り外した後の開口部から脱出することができ、安全性の面でも極めて優れたものとなり、緊急用の手動開放機構をブラインド装置に特に付加する必要がなくなる場合もある。
【０００５】
本発明は、前記諸点に鑑みてなされたものであって、その目的とするところは、羽根部材のみを簡単に取り外すことができ、而して、羽根部材の清掃、交換又は修理を極めて容易に行うことができ、しかも、緊急脱出も可能とし得るブラインド装置を提供することにある。
【０００６】
【課題を解決するための手段】
本発明によれば前記目的は、建物の開口部に配される羽根部材を、昇降機構により昇降させて、当該羽根部材の昇降により開口部を開閉するようにしてなるブラインド装置であって、羽根部材は、羽根本体と、この羽根本体の内側にその長手方向に沿ってかつ互いに平行に形成された一対の嵌合溝とを具備しており、羽根本体の両端部の夫々で、昇降機構において開口部両側に配される支持部材に支持されており、各支持部材は、一対の嵌合溝間において羽根本体のその長手方向の端部の内側に取付部材を介して取り付けられた板状部と、この板状部に形成された第一の係合部とを具備しており、取付部材は、板状本体と、この板状本体に形成されて、支持部材の第一の係合部に係合した第一の被係合部と、板状本体に一体的に形成されており、各嵌合溝に、羽根本体の長手方向に沿って摺動自在に嵌合した互いに対向した一対の嵌合縁部と、板状本体に形成された第二の係合部とを具備しており、この第二の係合部は、各嵌合溝に、羽根本体の長手方向に沿って摺動自在に嵌合した互いに対向した他の一対の嵌合縁部を具備した取付解除部材の第二の被係合部に係合しており、取付解除部材は、支持部材の第一の係合部と取付部材の第一の被係合部との係合を解除して、羽根本体の長手方向に沿って取付部材を摺動可能にし、取付部材による羽根本体の端部の内側への板状部の取付状態の解除を行い得る指掛け部を具備しているブラインド装置によって達成される。
【０００７】
また本発明では、羽根部材は、羽根本体の一方の端部の内側に第三の係合部を具備しており、開口部両側に配される支持部材において、一方側の支持部材の板状部には、当該板状部に対する羽根本体のその長手方向に沿う相対的移動を阻止するように、第三の係合部に係合する第三の被係合部が形成されている。
【０００８】
本発明では、第一乃至第三の係合部は、凹所又は突起で形成し、これらに対応して第一乃至第三の被係合部も、突起又は凹所から形成してもよい。なお、本発明では、凹所は単なる窪みでもよく、またはこれに代えて、貫通孔、すなわち開口であってもよい。取付解除部材の指掛け部は、凹所で構成してもよいが、好ましい例では、一対の開口で形成される。
【０００９】
第一の係合部と第一の被係合部との係合状態から非係合状態への移行又はその逆の移行を容易に行うことができるように、本発明では、取付部材を合成樹脂から形成する。更に、第一の係合部を板状部に形成された開口から形成し、取付部材の第一の被係合部を板状本体に一体的に形成された突起から形成し、この突起に、第一の係合部と第一の被係合部との非係合状態から係合状態への移行を案内する案内傾斜面を具備させると、これらの相互係合作業を更に容易に行うことができる。
【００１０】
昇降機構としては、特開平８−２６０８４３号公報に記載のものを用いることができるが、これに必ずしも限定されず、羽根部材を支持して当該羽根部材を昇降させる他のいずれの昇降機構であってもよい。
【００１１】
【発明の実施の形態】
次に本発明及びその実施の形態を、図に示す好ましい実施例に基づいて更に詳細に説明する。なお、本発明はこれら実施例に何等限定されないのである。
【００１２】
【実施例】
図１から図１０において、本例のブラインド装置１は、建物の開口部２に配される多数の羽根部材３を、昇降機構４により昇降させて、当該羽根部材３の昇降により開口部２を開閉するようにしてなる。
【００１３】
昇降機構４は、上述の特開平８−２６０８４３号公報に記載のように、駆動用の電動モータ１０と、電動モータ１０の出力軸の回転を連結軸１１に伝達する歯車機構１２と、連結軸１１の各端部に連結されたスプロケットホイール及びチルト機構１３と、この各スプロケットホイールに掛けられて、開口部２を規定する一対の縦枠１４ａ及び１４ｂのそれぞれの中に配されたチェーン（図示せず）と、このチェーンのそれぞれに連結されて各縦枠１４ａ及び１４ｂに配されたリンク機構２０ａ及び２０ｂと、各リンク機構２０ａ及び２０ｂに取り付けられた多数の支持部材１５ａ及び１５ｂとを主に具備しており、電動モータ１０の作動により各チェーンを走行させて、各リンク機構２０ａ及び２０ｂを伸縮させ、而して、支持部材１５ａ及び１５ｂを各縦枠１４ａ及び１４ｂのそれぞれに形成された案内スリット１６ｂ（縦枠１４ａ側については図示せず）に沿って昇降させ、また全閉状態において、上記チルト機構１３の作動により支持部材１５ａ及び１５ｂを揺動させるようになっている。各支持部材１５ａ及び１５ｂの昇降及び揺動により、当該各支持部材１５ａ及び１５ｂに両端で支持された羽根部材３も昇降され傾動される。昇降機構４は、上記公報に記載のものと同じであるので、詳細な説明を省略する。なお、以下においては、縦枠１４ａ側に配されるものを数字符号にａを付し、縦枠１４ｂ側に配されるものを数字符号にｂを付し、特に言及しない場合には、縦枠１４ａ側と縦枠１４ｂ側とは同様に構成されており、したがって、縦枠１４ａ側についてのみ詳述し、縦枠１４ｂ側については、図示のみとする。電動モータ１０等は、縦枠１４ａ及び１４ｂを橋絡して配された上枠１７内に収容されており、縦枠１４ａ及び１４ｂの上部には、これらを橋絡して前面化粧カバー１８が設けられている。１９は、水切り枠である。
【００１４】
各羽根部材３は、羽根本体２１と、羽根本体２１の内側２２にその長手方向Ａに沿って一体的にかつ互いに平行に形成された一対の嵌合溝２３及び２４と、同じく羽根本体２１の内側２２にその長手方向Ａに沿って一体的にかつ一対の嵌合溝２３及び２４の間に形成された補強リブ２５とを具備している。嵌合溝２３及び２４はそれぞれ、羽根本体２１と羽根本体２１に一体的に形成された断面Ｌ字状部３１及び３２とにより画定されている。各羽根部材３は、羽根本体２１のその長手方向Ａの両端部３３ａ及び３３ｂの夫々で、以下説明するように、昇降機構１３において開口部２両側に配される支持部材１５ａ及び１５ｂに支持されている。
【００１５】
支持部材１５ａは、一対の嵌合溝２３及び２４間において羽根本体２１の端部３３ａの内側２２に取付部材４１ａを介して取り付けられた板状部４２ａと、板状部４２ａに形成された第一の係合部としての開口４３ａと、補強リブ２５が通る横溝４４ａと、板状部４２ａに一体的に形成された軸４５ａと、ほぼ中央において軸４５ａに一体的に形成されたアーム４６ａと、アーム４６ａの両端部に一体的に形成されたリンク連結軸４７ａ及び４８ａとを具備している。支持部材１５ａは、リンク連結軸４７ａ及び４８ａを介して縦枠１４ａ内に配されたリンク機構２０ａに連結されており、リンク機構２０ａの伸縮により昇降され、チルト機構の作動により、軸４５ａを中心として揺動され、而して、支持部材１５ａの昇降、揺動により、羽根部材３は、図１０に示すように、羽根本体２１がほぼ水平に維持されて昇降され、また開口部２の全閉状態では、水平状態から図３に示すように羽根本体２１がほぼ垂直状態になるように、傾動される。
【００１６】
取付部材４１ａは、板状本体５５ａと、板状本体５５ａに形成されて、開口４３ａに係合した第一の被係合部としての突起５６ａと、板状本体５５ａに一体的に形成されており、嵌合溝２３及び２４のそれぞれに、羽根本体２１の長手方向Ａに沿って摺動自在に嵌合した互いに対向した一対の嵌合縁部５７ａ及び５８ａと、板状本体５５ａに一体的に形成された第二の係合部としての突起５９ａとを具備している。突起５９ａは、嵌合溝２３及び２４のそれぞれに、羽根本体２１の長手方向Ａに沿って摺動自在に嵌合した互いに対向した一対の嵌合縁部６５ａ及び６６ａを具備した取付解除部材６７ａの第二の被係合部としての開口６８ａに係合している。本例では、取付部材４１ａは、一対の嵌合縁部５７ａ及び５８ａがそれぞれ嵌合溝２３及び２４のそれぞれに嵌合して、羽根本体２１の内側２２からの板状部４２ａの離脱を阻止している。突起５６ａは、開口４３ａへの当該突起５６ａの係合を案内する案内傾斜面６９ａを具備している。そして、本例の取付部材４１ａは、合成樹脂からなり、開口４３ａと突起５６ａとの係合は、板状本体５５ａの撓みにより行われるようになっている。
【００１７】
取付解除部材６７ａは、上記嵌合縁部６５ａ及び６６ａに加えて、開口４３ａと突起５６ａとの係合を解除して、羽根本体２１の長手方向Ａに沿って取付部材４１ａを摺動可能にし、取付部材４１ａによる端部３３ａの内側２２への板状部４２ａの取付解除を行い得る指掛け部としての一対の開口７１ａ及び７２ａを具備している。
【００１８】
なお、羽根部材３は、羽根本体２１の端部３３ｂの内面２２に形成された第三の係合部として、補強リブ２５の一部を切り欠いてなる凹所８１を具備しており、支持部材１５ｂの板状部４２ｂには、当該板状部４２ｂに対する羽根本体２１のその長手方向Ａに沿う相対的移動を阻止するように、凹所８１に係合する第三の被係合部として、横溝４４ａが形成されない平坦部８２が形成されている。
【００１９】
以上のように形成されたブラインド装置１では、昇降機構４の作動により羽根部材３は昇降され、これにより、開口部２は羽根部材３により開閉され、全閉状態において羽根部材３が傾動されると、完全目隠し状又は簾状にされる。
【００２０】
ところで、清掃、交換又は修理のために羽根部材３のみを取り外す際には、まず、各羽根本体２１が、図３に示すように、ほぼ垂直状態に設定された位置（全閉状態において完全目隠し状）で、開口７１ａ及び７２ａに指１００を引っかけて、取付解除部材６７ａを羽根本体２１の長手方向ＡにおいてＢ方向に引っ張る。この引っ張りにより、開口６８ａと突起５９ａとの係合で取付解除部材６７ａに連結された取付部材４１ａもまたＢ方向に引っ張られ、引っ張り力が一定以上になると、開口４３ａに係合した突起５６ａを具備した取付部材４１ａの板状本体５５ａが若干撓んで、開口４３ａと突起５６ａとの係合が解除され、取付解除部材６７ａの開口６８ａに係合した突起５９ａを具備した取付部材４１ａは、取付解除部材６７ａと共にＢ方向に嵌合溝２３及び２４に案内されて移動される。こうして、取付部材４１ａが支持部材１５ａの板状部４２ａの背面から除去されると、羽根部材３の端部３３ａは、板状部４２ａから離反自在となる。同様にして、羽根部材３の端部３３ｂ側において、取付解除部材６７ｂを羽根本体２１の長手方向ＡにおいてＣ方向に引っ張り、取付部材４１ｂを支持部材１５ｂの板状部４２ｂの背面から除去し、羽根部材３の端部３３ｂを板状部４２ｂから離反自在とする。羽根部材３の両端部３３ａ及び３３ｂが支持部材１５ａ及び１５ｂの夫々の板状部４２ａ及び４２ｂから離反自在となると、羽根部材３のみを取り外すことができる。
【００２１】
新たな羽根部材３を支持部材１５ａ及び１５ｂに取付けて、支持させる場合には、補強リブ２５が板状部４２ｂの横溝４４ｂに配され、平坦部８２が凹所８１に嵌合するようにして、羽根部材３の端部３３ｂを板状部４２ｂに重ね合わせ、そして、開口６８ｂと突起５９ｂとを係合させて互いに予め相互に連結され、しかも嵌合溝２３及び２４に装着された取付部材４１ｂと取付解除部材６７ｂとの組み合わせをＢ方向に嵌合溝２３及び２４に沿って摺動させて、板状部４２ｂへ突起５６ｂの案内傾斜面６９ｂを当接させ、この当接により取付部材４１ｂの板状本体５５ｂを若干撓ませつつ、更に、取付部材４１ｂと取付解除部材６７ｂとの組をＢ方向に押し込み移動させ、これにより、開口４３ｂに突起５６ｂを係合させる。
【００２２】
次に同様にして、補強リブ２５が板状部４２ａの横溝４４ａに配されるようにして、羽根部材３の端部３３ａを板状部４２ａに重ね合わせ、そして、前記と同様に、予め互いに連結されて、しかも嵌合溝２３及び２４に装着された取付部材４１ａと取付解除部材６７ａとの組み合わせＣ方向に沿って摺動させ、板状部４２ａへ突起５６ａの案内傾斜面６９ａを当接させて、取付部材４１ａの板状本体５５ａを若干撓ませつつ、更に、取付部材４１ａと取付解除部材６７ａとの組をＣ方向に押し込み移動させ、これにより、開口４３ａに突起５６ａを係合させる。以上により羽根部材３は、支持部材１５ａ及び１５ｂに取り付けられて、支持される。
【００２３】
このようにブラインド装置１では、羽根部材３のみを簡単に取り外すことができ、而して、羽根部材３の清掃、交換又は修理を極めて容易に行うことができ、しかも、取り外しが内部から簡単に行い得るため、必要枚数の羽根部材３を取り外せば、緊急脱出も可能となり、安全性に優れたものである。更に、羽根部材３は、端部３３ａでは、羽根本体２１が板状部４２ａに対して相対的にＡ方向に移動自在になるように、一方、端部３３ｂでは、凹所８１と平坦部８２との相互係合により、はね本体２１が板状部４２ｂに対して相対的にＡ方向に移動しないようにして、それぞれ取付部材４１ａ及び４１ｂを介して支持部材１５ａ及び１５ｂに支持されているため、不要な羽根部材３のＡ方向のがたがない上に、羽根部材３のＡ方向の熱伸縮によっても、羽根部材３が撓んだりして見苦しくなったり、意図しない取付解除がなされるような不都合もない。
【００２４】
【発明の効果】
以上のように本発明によれば、羽根部材のみを簡単に取り外すことができ、而して、羽根部材の清掃、交換又は修理を極めて容易に行うことができ、しかも、緊急脱出も可能とし得、また更に、羽根部材の熱伸縮による不都合をも生じさせない。
【図面の簡単な説明】
【図１】図１０に示す本発明の好ましい一実施例の一方の縦枠側の羽根部材の取付状態の背面説明図である。
【図２】図１に示す一方の縦枠側の羽根部材の取付状態において羽根部材を一部透視した正面説明図である。
【図３】図１に示すＩＩＩ−ＩＩＩ線断面図である。
【図４】図１に示すＩＶ−ＩＶ線断面図である。
【図５】図１に示す取付部材の斜視図である。
【図６】図１に示す取付解除部材の斜視図である。
【図７】図１０に示す本発明の好ましい一実施例の他方の縦枠側の羽根部材の取付状態の背面説明図である。
【図８】図７に示す一方の縦枠側の羽根部材の取付状態において羽根部材を一部透視した正面説明図である。
【図９】図７に示すＩＸ−ＩＸ線断面図である。
【図１０】本発明の好ましい一実施例の斜視図である。
【符号の説明】
１  ブラインド装置
２  開口部
３  羽根部材
４  昇降機構
１５ａ、１５ｂ  支持部材
２１  羽根本体
２３、２４  嵌合溝
４２ａ、４２ｂ  板状部
４３ａ、４３ｂ  開口
５５ａ、５５ｂ  板状本体
５６ａ、５６ｂ  突起
５７ａ、５７ｂ、５８ａ、５８ｂ  嵌合縁部
５９ａ、５９ｂ  突起
６７ａ、６７ｂ  取付解除部材
６８ａ、６８ｂ  開口
７１ａ、７１ｂ、７２ａ、７２ｂ  開口
【図１】
0003669093.tif 000002
【図２】
0003669093.tif 000003
【図３】
0003669093.tif 000004
【図４】
0003669093.tif 000005
【図５】
0003669093.tif 000006
【図６】
0003669093.tif 000007
【図７】
0003669093.tif 000008
【図８】
0003669093.tif 000009
【図９】
0003669093.tif 000010
【図１０】
0003669093.tif 000011